(57)【要約】      （修正有）【課題】バルブ径が細径化された電球形蛍光ランプにおいて、アマルガムを封入する細管の強度を保つとともに、容易にアマルガムを封入可能な蛍光ランプ、電球形蛍光ランプおよび照明器具を提供する。【解決手段】蛍光ランプの小形化に伴い、発光管が細径化されても、バルブ内径よりも小径の外径を有する円筒状の円筒部を有するとともに、円筒部の一端に形成された円錐部を有する封止部材により、発光管を気密に封止できるとともに、アマルガムを封入するための円筒部の径を確実に確保することができ、アマルガムの封入が容易となる。【選択図】図１
2004303661.tif 000002
【特許請求の範囲】
【請求項１】
複数の屈曲形バルブを有する発光管と；
バルブ径よりも小さい径を有する円筒状の円筒部と、円筒部から略円錐状に広がる円錐部を有し、円錐部の開口により電極が封装されないバルブ端部を封止するための封止部材と；
封止部材を構成する円筒部内に封入されるアマルガムと；
を具備していることを特徴とする蛍光ランプ。
【請求項２】
封止部材を構成する円筒状部は、バルブ内径以上の外径を有していることを特徴とする請求項１記載の蛍光ランプ。
【請求項３】
複数の屈曲バルブそれぞれの端部が同一方向となるよう互いに連結され、１本の放電路が形成された発光管と；
一方側に口金が他方側に発光管がそれぞれ取付けられたカバー体と；
前記発光管を点灯させる点灯回路を構成する複数の電子部品および、この電子部品が両面に実装された回路基板を有し、前記カバー体内に収容された点灯装置と；
を具備していることを特徴とする請求項１または２記載の電球形蛍光ランプ。
【請求項４】
前記封止部材の円筒部は、バルブ端部の封止部分よりも回路基板の中心方向のカバー体内空間まで屈曲するとともに突出していることを特徴とする請求項１ないし３いずれか一記載の電球形蛍光ランプ。
【請求項５】
請求項１ないし４いずれか一記載の電球形蛍光ランプと；
この電球形蛍光ランプが装着された器具本体と；
を具備していることを特徴とする照明器具。
【発明の詳細な説明】
【０００１】
【発明の属する技術分野】
本発明は、蛍光ランプ、電球形蛍光ランプおよび照明器具に関する。
【０００２】
【従来の技術】
従来、例えば一般照明用電球ソケットに装着可能な口金を有するカバーを備え、このカバーの内側に点灯回路を収容するとともに、発光管を屈曲するなどしてグローブに収容した電球形蛍光ランプが知られている。
【０００３】
近年、点灯回路の電子回路化や、加工技術、材質改良などによって発光管である蛍光ランプの小形化、高効率化が進み、白熱電球６０Ｗ相当サイズでありながら、高出力、かつ高効率、長寿命という特徴を有する電球形蛍光ランプが知られている（例えば、特許文献１参照）。
【０００４】
上記従来の電球形蛍光ランプは、管径が小さく高出力であるため、高い管壁負荷で点灯するので通常点灯時であっても周囲温度が高温となる。発光管内の水銀蒸気圧は周囲温度とともに上昇してしまい、純水銀を封入した発光管では、高温雰囲気下で最適な蒸気圧で点灯することができない。したがって、発光管内にアマルガムを封入し、蒸気圧を下げることで効率よく点灯することができる。
【０００５】
【特許文献１】
特開２０００−２１３５１号公報
【０００６】
【発明が解決しようとする課題】
しかし、特許文献１のような電球形蛍光ランプは、６０Ｗ形の白熱電球の外形寸法に略近似する程度まで小形化されているが、さらなる小形化が望まれている。しかし、更なる小形化に伴い、発光管の寸法に制約が課せられる関係で、従来のＵ字形屈曲バルブの径寸法では、発光管の放電路長が十分に確保できず、所望の光出力を得ることができない問題がある。また、発光管の寸法制約のなかで、アマルガムを収容する細管は一層細径化されることになり、細管内にアマルガムを封入することは困難になりつつある。
【０００７】
本発明はこのような点に鑑みなされたもので、バルブ径が細径化された電球形蛍光ランプにおいて、アマルガムを封入する細管の強度を保つとともに、容易にアマルガムを封入可能な蛍光ランプ、電球形蛍光ランプおよび照明器具を提供することを目的とする。
【０００８】
【課題を解決するための手段】
請求項１記載の蛍光ランプは、複数の屈曲形バルブを有する発光管と；バルブ径よりも小さい径を有する円筒状の円筒部と、円筒部から略円錐状に広がる円錐部を有し、円錐部の開口により電極が封装されないバルブ端部を封止するための封止部材と；封止部材を構成する円筒部内に封入されるアマルガムと；を具備していることを特徴とするものである。
【０００９】
請求項２記載の蛍光ランプは、請求項１記載の蛍光ランプの封止部材を構成する円筒状部は、バルブ内径以下の外径を有していることを特徴とするものである。
【００１０】
封止部材を構成する円筒部がバルブ径と同径およびバルブ径よりも大きい径を有してしまうと、小形化された限られたスペースであるカバー内に収容することが困難となる。しかし、円筒部内には粒状のアマルガムを封入するので、バルブ径よりも小径の円筒部であっても、アマルガムを封入可能な内径を確保する必要がある。
【００１１】
バルブ端部の開口を封止する円錐部の開口は、バルブ端部とほぼ同等に形成されている。この円錐部は、円錐部開口とバルブ端部を加熱溶融溶着させることにより、バルブ端部を容易に封止できる。したがって、すなわち封止部材を構成する円筒部と円錐部の互いの接合部分を加熱溶融させて連続的に、略ラッパ状に形成した場合、円錐部の傾斜面が、円筒部の中心軸に対して９０°に近い傾斜を有するよう拡開していると、円錐部の頂部である円筒部接続部分と円錐部開口が近づきすぎてしまい、封止の際の熱影響を受け、円錐部と円筒部の接続部分にクラックを生じるおそれがある。一方、円筒部の中心軸に対して拡開傾斜が小さいと、バルブ端部の開口とほぼ同等の開口を有するまでに円錐部の高さ方向に高くなるため、小形化に適さない。したがって、円筒部の中心軸に対して３０°〜６０°程度の傾斜を有するよう拡開していることが望ましい。
【００１２】
なお、封止部材を構成する円筒部および円錐部の形成形方法は、それぞれを溶着させて一体的に形成しても、ラッパ形状の型に溶融ガラスを流し込んで形成しても、その形成方法は特に限定されない。
【００１３】
発光管および封止部材は、鉛ガラス、ソーダガラス、ホウ珪酸ガラス、バリウムシリケートガラスなどのガラス製が製造上好ましいが、透光性であればセラミックスなど、他の材料であってもよい。特に、環境への影響を考慮すると無鉛ガラスによって形成するのが最適である。
【００１４】
蛍光ランプ全体を小形化し、光出力を低下させないためには、発光管の管径を小さくし放電路長を確保することが重要な設計項目である。したがって、蛍光ランプを構成するバルブ径は１０ｍｍ以下であることが望ましい。好ましくは５〜９ｍｍ。しかし、管内径が９ｍｍ以下のような細径のバルブを用いる場合には、フィラメント電極をバルブ軸に直交する方向に配設するのが困難であるため、熱電子放射を行なう粒状セラミックスを用いた小形の電極を使用したり、フィラメント電極をバルブ軸方向に平行になるよう配設してもよい。
【００１５】
請求項１または２記載の蛍光ランプによれば、蛍光ランプの小形化に伴い、発光管が細径化されても、バルブ内径よりも小径の外径を有する円筒状の円筒部を有するとともに、円筒部の一端に形成された円錐部を有する封止部材により、発光管を気密に封止できるとともに、アマルガムを封入するための円筒部の径を確実に確保することができ、アマルガムの封入が容易となる。さらに、封止部材を構成する円筒部は、アマルガムを封入するためのいわゆるアマルガム封入用細管および、蛍光ランプ製造工程における排気およびガス封入を行なういわゆる排気管としての作用を有している。したがって、バルブ内径以下の外径を有するとともに、アマルガム粒よりも径大な内径を有していれば、粒状のアマルガムの封入が容易であるとともに、効率よく排気およびガス封入も可能となる。
【００１６】
請求項３記載の電球形蛍光ランプは、複数の屈曲バルブそれぞれの端部が同一方向となるよう互いに連結され、１本の放電路が形成された発光管と；一方側に口金が他方側に発光管がそれぞれ取付けられたカバー体と；前記発光管を点灯させる点灯回路を構成する複数の電子部品および、この電子部品が両面に実装された回路基板を有し、前記カバー体内に収容された点灯装置と；を具備していることを特徴とするものである。
【００１７】
発光管は、１本の屈曲した放電路を有していて、例えば屈曲バルブを３本使用し、各直線部を３本円周上に配置して並設していても、４本の略Ｕ字形で略同径上の屈曲バルブをこれらバルブがなす平面に直交する方向に並設していてよく、電極が封装される一対のバルブ端部のほかに端部を有していれば発光管の形状、構成などは特に限定されない。
【００１８】
点灯装置は、カバー体内に収容されるものであり、インバータタイプが好ましいが、本発明の性質上これに限定されない。点灯装置は、カバーに対して直接的または、間接的に取り付けられて収容されている。
【００１９】
請求項３記載の発明によれば、請求項１または２記載の蛍光ランプの作用を有する電球形蛍光ランプを提供することができる。
【００２０】
請求項４記載の電球形蛍光ランプは、請求項１ないし３いずれか一記載の電球形蛍光ランプの封止部材としての円筒部は、バルブ端部の封止部分よりも回路基板の中心方向のカバー体内空間まで屈曲するとともに突出していることを特徴とするものである。
【００２１】
本発明者らは、高出力で管径が細い、すなわち管壁負荷の高い電球形蛍光ランプの光束立上り特性を低下させないために、安定点灯時のアマルガム温度を低くすることに着目して検討を進めた。すなわち、アマルガムは、安定点灯時の発光管内の水銀蒸気圧を最適に制御することを目的とするものであるため、例えばビスマス−インジウム系の主アマルガムでは、９０〜１３０℃の高温下であっても、発光管の水銀蒸気圧を最適値である１Ｐａ前後となるように制御することができる。しかし、このようなアマルガムは純水銀よりも水銀蒸気圧が低い特性を有しているため、周囲温度約２５℃の雰囲気で消灯して放置された後の点灯瞬時の水銀蒸気圧は０．１Ｐａ前後であり、自己発熱によって高温雰囲気に至るまでは光束が低い。したがって、安定点灯時のアマルガムの温度を低くできれば、アマルガムによって水銀蒸気圧を過度に低く制御する必要がなくなり、点灯瞬時の水銀蒸気圧を高くできるので、光束の立上りが改善することが可能となる。
【００２２】
そこで、口金が上向きの状態で点灯した電球形蛍光ランプの各部分ごとの温度を測定したところ、カバー体内の空間の温度は、点灯装置の基板面から離間するほど温度が低くなっていることが確認できた。これは、点灯装置の基板が発光管の放射熱を遮蔽する効果を備えているとともに、カバー体内の空気がよどんでおり、カバー体内の空気の対流があまり起こっていないため、点灯装置の主要部品よりも口金側付近は比較的温度が低くなるためと考えられる。ここで、点灯装置の主要部品とは、トランジスタ、インダクタ、トランス、フィルムコンデンサ、抵抗のうち、点灯動作中の発熱量が比較的多く、容積の比較的大きい回路素子を意味し、容積が大きくても比較的発熱量が少ない例えば電解コンデンサのような回路素子は含まれない。
【００２３】
そこで、細管の先端が点灯装置側に位置するように細管を延長させた発光管を用意し、水銀蒸気圧が比較的高いアマルガムが点灯装置の主要部品よりも口金側に位置するように細管内に封入した電球形蛍光ランプを試作して点灯させた。その結果、点灯直後の光束立上りが良好で、かつ安定点灯時の光束が低下することのない光出力特性が得られた。
【００２４】
しかし、主アマルガムから発光管までの距離が大きくなるほど高さ方向の寸法が大きくなって電球形蛍光ランプが大形化してしまい、また主アマルガムから発光管に水銀蒸気が拡散するまでの時間がかかってしまうので、主アマルガムの基板面からの離間距離は５０ｍｍ以下、好ましくは４０ｍｍ以下にする必要がある。
【００２５】
細管内に封入される主アマルガムは、点灯直後の水銀蒸気圧が純水銀に近く、安定点灯時の水銀蒸気圧も適正な値に制御可能な特性を有するものが使用される。例えば、アマルガムの温度が２５℃のときに０．１〜０．２４Ｐａ、好ましくは０．１５〜０．２４Ｐａであって、アマルガムの温度が５０〜６０℃のときに１．０〜２．０Ｐａとなるものが好ましい。なお、アマルガムを封入するにあたっては、点灯直後の水銀蒸気拡散を補うため、補助アマルガムを発光管内に配置することが好ましいが、この補助アマルガムは必須ではなく、点灯直後に発光管内に適度な水銀蒸気拡散が起こる条件で発光管が構成されていればアマルガムのみを封入したものであってもよい。
【００２６】
カバー体に保持される発光管は、１本の屈曲した放電路を有していて、例えば屈曲バルブを３本使用し、各直線部を３本円周上に配置して並設した場合、屈曲部側から見てバルブに囲まれた略正三角柱形状を直線部が円周上に沿って配置されるため、バルブ端部から突出形成された細管は回路基板の円周方向から口金側に突出することになる。回路基板の円周方向から口金側に突出した細管を収容するカバー体内空間は、カバー体が略円錐状の回転体形状であるため、回路基板の円中心部分の高さ寸法すなわち口金近傍までの距離が最大となり、回路基板円周方向に向かうに従い高さ方向の寸法は、小さくなる関係になる。したがって、バルブ端部から突出した細管を熱源となる発光管から離間し、カバー体内空間の口金近傍まで延出するためには、回路基板の周方向から突出した細管をカバー体内壁に接触させないように、円中心方向へ屈曲させる必要がある。
【００２７】
点灯装置の平滑用電解コンデンサが点灯装置の主要部品よりも口金側に突出するように配置されている場合、点灯装置は、細管内に封入されたアマルガムが平滑用電解コンデンサを除く電子部品よりも口金側に位置するような位置関係でカバー体内に収容される。
【００２８】
また、点灯装置の基板が発光管の放射熱を遮蔽するように配置されている場合には、点灯装置は、細管内に封入されたアマルガムが基板面から５〜５０ｍｍ、好ましくは１０〜５０ｍｍ、最適には１５〜４０ｍｍ離間するような位置関係でカバー体内に収容される。
【００２９】
上述のように、水銀蒸気圧が比較的高いアマルガムを封入するためには、円筒部を屈曲させカバー体内空間まで延出させる必要がある。しかし、アマルガム径と略同径程度の内径である細管であると、ガラス管を加熱後屈曲させる際、屈曲部分で内側にガラスが溜まってガラス管の内径がさらに小さくなるため、屈曲部の内壁同士が癒着するおそれがある。また、カバー体内空間まで延出させる細管の肉厚を厚くすることで細管の強度は確保できるものの、屈曲させる際、加熱に時間がかかり、容易に屈曲させることが難しい等の問題が生じる。したがって、細管の内径は２〜８ｍｍ、肉厚は０．３〜１．０ｍｍ程度に形成することが望ましい。
【００３０】
円筒部は、主アマルガム封入用として使用される他、排気管として使用されるものであってもよい。主アマルガム封入用として使用される円筒部は、主アマルガムが点灯装置の収容空間のうち口金側に位置するように封入されるため、先端側部分が口金側に伸びるように延長されている。
【００３１】
さらに、円筒の肉厚が０．３〜１．０ｍｍ程度に形成されているので、外部から衝撃等をうけたとしても、クラック等の発生を抑制できる。
【００３２】
請求項４記載の発明によれば、請求項１ないし３いずれか一記載の作用に加え、円筒部を略円錐状の回転体形状のカバー体内の、比較的温度の低いカバー体内の口金側空間に配設するために、回路基板の円周方向から突出した円筒部を回路基板の円中心方向へ屈曲させることで、アマルガムを比較的温度の低いカバー体内の口金側の空間に配置させることが可能となり、水銀蒸気圧が高い特性を有するアマルガムを使用することで、光束立上り特性を向上させることが可能となる。
【００３３】
請求項５記載の照明器具は、請求項１ないし４いずれか一記載の電球形蛍光ランプと；この電球形蛍光ランプが装着された器具本体と；を具備していることを特徴とするものである。
【００３４】
請求項５記載の発明によれば、請求項１ないし４いずれか一記載の作用を有す
る照明器具を提供することができる。
【発明の実施の形態】
以下、本発明の一実施形態である蛍光ランプを図面を参照して説明する。
【００３５】
図１は第１の本実施の形態の電球形蛍光ランプを示す正面図、図２は図１の電球形蛍光ランプの発光管展開図、図３は封止部材の拡大概略図である。
【００３６】
図２に示す蛍光ランプ１０は、ガラス製の屈曲バルブ１１ａ、１１ｂ、１１ｃを有し各バルブ１１ａ、１１ｂ、１１ｃの内面には、例えば３波長発光形の蛍光体層が形成され、アルゴンなどの希ガスが封入されている。
【００３７】
蛍光ランプ１０は、この３本の屈曲バルブ１１ａ、１１ｂ、１１ｃがそのＵ字形をなす面が互いに平行に対向するように並設した状態で接続して構成されている。各屈曲バルブ１１ａ、１１ｂ、１１ｃは、例えば管外径が５〜１０ｍｍで本実施の形態では約６．５ｍｍ程度、管内径が５ｍｍ程度の断面略円筒状のガラス管が、中間部で湾曲する屈曲部を有し略Ｕ字状に形成されている。すなわち、屈曲バルブ１１ａ、１１ｂ、１１ｃは湾曲する屈曲部と、この屈曲部に連続する互いに平行な一対の連結管１２ａ、１２ｂを備えている。両端の屈曲バルブ１１ａ、１１ｃのうち蛍光ランプ１０の対角線上に位置する各一端に一対の電極が実装されている。中央の屈曲バルブ１１ｂの端部は封止部材１３により封止されている。この封止部材１３は、管内径が３．５ｍｍ、肉厚が０．５ｍ程度、長さ１５〜４０ｍｍの円筒部としての細管１３ａ、と、細管１３ａの一端から、細管１３ａの中心軸に対して４５°の傾斜面を有する円錐状に拡開した円錐部１３ｂを有し、円錐部１３ｂの開口縁部によりバルブ端部は封止されている。この細管１３ａの略中間部は、回路基板７１の中心に近づく方向に屈曲するとともに再び細管１３ａが封着されたバルブ軸方向に平行となるように２ヶ所で屈曲する屈曲部１３ｃを有している。つまり、この屈曲部１３ｃは、細管１３ａがカバー体６０の内壁面に当接しないように、先端側部分を回路基板７１中心に寄せながらこの先端側部分を口金４０側に延在させるためのものである。バルブ１１ｂの端部から細管１３ａの先端部までの長さは約４０ｍｍである。なお、直線長さにして約４５ｍｍ突出している。なお、細管１３ａ内部には、水銀（Ｈｇ）、ビスマス（Ｂｉ）、インジウム（Ｉｎ）、および錫（Ｓｎ）などとの金属合金によって形成されたアマルガム３０が収容される。本実施の形態のアマルガム３０の組成は、Ｂｉ−Ｉｎ−Ｈｇである。
【００３８】
蛍光ランプ１０は、中央の屈曲バルブ１１ｂの高さＨ１が３５〜４０ｍｍ、両端の屈曲バルブ１１ａ、１１ｃの高さＨ２が３５〜４０ｍｍ、かつ略Ｈ１＞Ｈ２の関係を有して構成されている。中央の屈曲バルブ１１ｃの高さＨ１および両端の屈曲バルブ１１ａ、１１ｃの高さＨ２は、バルブ端部から屈曲部の頂部までの長さを意味する。
【００３９】
この３本の屈曲バルブ１１ａ、１１ｂ、１１ｃは、連結管１２ａ、１２ｂで順次接続され、放電路長が１２０〜２００ｍｍの１本の連続した放電路が形成される。
【００４０】
次に本実施の形態である電球形蛍光ランプを図１を用いて説明する。
【００４１】
電球形蛍光ランプＬは、ミニクリプトンなどの小形白熱電球の規格寸法に類似する外形で、口金４０からグローブ５０までの高さ方向の寸法が７５〜１０５ｍｍであって、本実施の形態では約８１ｍｍ程度に形成されている。カバー体６０は、例えばポリブチレンテレフタレート（ＰＢＴ）などの耐熱性合成樹脂などにて、蛍光ランプ１０方向へ向かって拡開する略円錐状に形成されている。
【００４２】
ホルダ６１は、カバー体６０の下端の開口部に取付けられるもので、例えばポリブチレンテレフタレート（ＰＢＴ）などの耐熱性合成樹脂材料にて円板状に形成されている。このホルダ６１には、蛍光ランプ１０挿通される図示しない複数の取付孔が形成され、これら取付孔に蛍光ランプ１０端部が挿通された状態で例えば図示しないシリコーン樹脂などの接着剤で固定されるとともに、ホルダ６１の蛍光ランプ１０非装着側には、点灯装置７０が配置されている。
【００４３】
この点灯装置７０は、蛍光ランプ１０の長手方向と直行する平行な面に配置される略円板状の回路基板７１を備え、この回路基板７１の口金４０側の一面と蛍光ランプ１０側の両面には、複数の電気部品７２が実装されて、蛍光ランプ１０を高周波点灯させるインバータ回路である高周波点灯装置７０が構成されている。
【００４４】
回路基板７１には、アマルガム３０が封入された細管１３ａを挿通するための開口７１ａが形成されている。
【００４５】
グローブ５０は、透明あるいは光拡散性を有する乳白色などで、ガラスあるいは合成樹脂により、最大径が３５〜４５ｍｍで、ミニクリプトンタイプの電球のガラス球の形状に近似した略球形に形成されているとともに一方に開口部が形成されている。
【００４６】
最後に口金４０およびグローブ５０を取付け電球形蛍光ランプＬは完成する。
【００４７】
このように構成された電球形蛍光ランプＬは、入力電力定格１０Ｗで、３波長発光形蛍光体の使用により、４８０ｌｍの全光束が得られる。
【００４８】
以上のような電球形蛍光ランプＬによると、バルブ内径よりも小径の外径を有するとともにアマルガムの封入が容易である程度の内径を確実に確保することができるとともに、円筒部の一端に形成された円錐部により、バルブ端部を容易に封止することができる。さらに、光束立上り特性を改善するために、細管カバー体内空間まで長く伸ばすとともに屈曲させても十分な強度を保つことができる。
【００４９】
本実施の形態ではグローブ５０を備えているが、グローブ５０を省略しても、同様の効果が得られる。
【００５０】
アマルガム３０は本実施形態のように水銀蒸気圧制御用のものに限定されず、亜鉛（Ｚｎ）アマルガムなどの定量封入用のアマルガムでも使用可能であり、多孔質セラミックスや水銀封入カプセルなどの水銀封入媒体を細管１３ａに封入する場合に用いても良い。
【００５１】
また、蛍光ランプ１０の屈曲バルブ１１ａ、１１ｂ、１１ｃは、３本に限らず、３本以下または４本以上でも同様の作用効果が得られる。また、電球形蛍光ランプＬに限らず、コンパクト形蛍光ランプにであっても構わない。
【００５２】
図４は、本発明の照明器具の一実施形態を示す一部切欠断面図である。
【００５３】
図において４１は電球形蛍光ランプである。４０は埋め込み形照明器具本体であり、器具本体４０は基体４２、とソケット４３および反射板５４から構成されている。
【００５４】
【発明の効果】
請求項１または２記載の蛍光ランプによれば、蛍光ランプの小形化に伴い、発光管が細径化されても、バルブ内径よりも小径の外径を有する円筒状の円筒部を有するとともに、円筒部の一端に形成された円錐部を有する封止部材により、発光管を気密に封止できるとともに、アマルガムを封入するための円筒部の径を確実に確保することができ、アマルガムの封入が容易となる。さらに、封止部材を構成する円筒部は、アマルガムを封入するためのいわゆるアマルガム封入用細管および、蛍光ランプ製造工程における排気およびガス封入を行なういわゆる排気管としての作用を有している。したがって、バルブ内径以下の外径を有するとともに、アマルガム粒よりも径大な内径を有していれば、粒状のアマルガムの封入が容易であるとともに、効率よく排気およびガス封入も可能となる。
【００５５】
請求項３記載の発明によれば、請求項１または２記載の蛍光ランプの作用を有する電球形蛍光ランプを提供することができる。
【００５６】
請求項４記載の発明によれば、請求項１ないし３いずれか一記載の作用に加え、円筒部を略円錐状の回転体形状のカバー体内の、比較的温度の低いカバー体内の口金側空間に配設するために、回路基板の円周方向から突出した円筒部を回路基板の円中心方向へ屈曲させることで、アマルガムを比較的温度の低いカバー体内の口金側の空間に配置させることが可能となり、水銀蒸気圧が高い特性を有するアマルガムを使用することで、光束立上り特性を向上させることが可能となる。
請求項５記載の発明によれば、請求項１ないし４いずれか一記載の作用を有する照明器具を提供することができる。  請求項５記載の発明によれば、請求項１ないし４いずれか一記載の作用を有す
る照明器具を提供することができる。
【図面の簡単な説明】
【図１】第１の本実施の形態の電球形蛍光ランプを示す正面図。
【図２】図１の電球形蛍光ランプの発光管展開図。
【図３】図１の電球形蛍光ランプの封止部材の拡大概略図。
【図４】本発明照明器具の一実施形態を示す側面一部断面図。
【符号の説明】
１０…蛍光ランプ、１３…封止部材、１３ａ…細管、１３ｂ…円錐部、
１３ｃ…屈曲部、３０…アマルガム
【図１】
2004303661.tif 000003
【図２】
2004303661.tif 000004
【図３】
2004303661.tif 000005
【図４】
2004303661.tif 000006